(57)【要約】【課題】蓋体の開閉操作に応じ、蓋体を閉じた状態では化粧料の乾燥や飛散を防止でき、かつ蓋体を開いたときに化粧操作の邪魔にならない構造を合理的に組み込んだ化粧料容器を提供する。【解決手段】軸受部４及び軸受部周りに配置された化粧料収納部５を有する容器本体２と、容器本体に回動自在に連結される蝶番ブロック１０を有し、蝶番ブロックを介して展動されて容器本体を開閉する蓋体と、軸受部に回転軸１７が回転自在に支持され、回転されて化粧料収納部を隠蔽したり露出させる回転シャッター部材と、軸受部と回転軸との間に設けられ、回転シャッター部材に、化粧料収納部が露出する方向の回転習性を付与するつる巻バネ２３と、蝶番ブロックに設けられたカム２５及び回転シャッター部材に設けられカムに摺接される摺接部２８とから構成され、蓋体の閉止操作で回転シャッター部材を、化粧料収納部が隠蔽される方向へ回転させるカム機構２４とを備えた。【選択図】図４
2010207448.tif 000002
【特許請求の範囲】
【請求項１】
軸受部及び該軸受部周りに配置された化粧料収納部を有する容器本体と、
該容器本体に回動自在に連結される蝶番ブロックを有し、該蝶番ブロックを介して展動されて該容器本体を開閉する蓋体と、
上記軸受部に回転軸が回転自在に支持され、回転されて上記化粧料収納部を隠蔽したり露出させる回転シャッター部材と、
上記軸受部と上記回転軸との間に設けられ、上記回転シャッター部材に、上記化粧料収納部が露出する方向の回転習性を付与するバネと、
上記蝶番ブロックに設けられたカム及び上記回転シャッター部材に設けられ該カムに摺接される摺接部とから構成され、上記蓋体の閉止操作で該回転シャッター部材を、上記化粧料収納部が隠蔽される方向へ回転させるカム機構とを備えたことを特徴とする化粧料容器。
【請求項２】
付勢トルクが設定トルクを超えることで付勢方向に所定の回転量の回転作用を呈する携帯電話用一軸ヒンジユニット及び該ヒンジユニット周りに配置された化粧料収納部を有する容器本体と、
該容器本体に回動自在に連結される蝶番ブロックを有し、該蝶番ブロックを介して展動されて該容器本体を開閉する蓋体と、
上記ヒンジユニットのトルク軸に連結され、回転されて上記化粧料収納部を隠蔽したり露出させる回転シャッター部材と、
上記蝶番ブロックに設けられたトリガー部及び上記回転シャッター部材に設けられた押圧部とから構成され、上記蓋体の開放操作で該トリガー部から該押圧部に入力される付勢トルクにより上記ヒンジユニットを、該回転シャッター部材が上記化粧料収納部を露出する方向へ回転させるとともに、該蓋体の閉止操作で該トリガー部から該押圧部に入力される付勢トルクにより該ヒンジユニットを、該回転シャッター部材が上記化粧料収納部を隠蔽する方向へ回転させるトリガー機構とを備えたことを特徴とする化粧料容器。
【発明の詳細な説明】
【技術分野】
【０００１】
本発明は、蓋体の開閉操作に応じ、蓋体を閉じた状態では化粧料の乾燥や飛散を防止でき、かつ蓋体を開いたときに化粧操作の邪魔にならない構造を合理的に組み込んだ化粧料容器に関する。
【背景技術】
【０００２】
従来、蓋体の開閉操作に応じて、例えば内部鏡の保護用の扉を開いたり閉じたりするようにした鏡付ケースが知られている。この鏡付ケースにあっては、ケースは、内部鏡を備えた蓋と、化粧品を収納するための受皿を有する底部と、底部に対して蓋の相対的回転を可能にする蝶番とから成り、内部鏡の保護用の扉と、扉が蓋の回転によって作動可能になるための手段であって、ケースが開かれたときに「鏡使用」と呼ばれる位置に内部鏡から側面方向に離れ、蓋が閉じたときに「鏡保護」と呼ばれる位置に復帰するようになっている。
【先行技術文献】
【特許文献】
【０００３】
【特許文献１】特開２０００−１８９２４１号公報
【発明の概要】
【発明が解決しようとする課題】
【０００４】
化粧料を収納するこの種化粧料容器では、蓋体を閉じた不使用時における化粧料の乾燥や飛散を防止できる構造を備えることが望まれる。また、蓋体を開いた使用時には、乾燥防止や飛散防止を営む構造が化粧操作の邪魔にならないようにすることが望まれる。
【０００５】
本発明は上記従来の課題に鑑みて創案されたものであって、蓋体の開閉操作に応じ、蓋体を閉じた状態では化粧料の乾燥や飛散を防止でき、かつ蓋体を開いたときに化粧操作の邪魔にならない構造を合理的に組み込んだ化粧料容器を提供することを目的とする。
【課題を解決するための手段】
【０００６】
本発明にかかる化粧料容器は、軸受部及び該軸受部周りに配置された化粧料収納部を有する容器本体と、該容器本体に回動自在に連結される蝶番ブロックを有し、該蝶番ブロックを介して展動されて該容器本体を開閉する蓋体と、上記軸受部に回転軸が回転自在に支持され、回転されて上記化粧料収納部を隠蔽したり露出させる回転シャッター部材と、上記軸受部と上記回転軸との間に設けられ、上記回転シャッター部材に、上記化粧料収納部が露出する方向の回転習性を付与するバネと、上記蝶番ブロックに設けられたカム及び上記回転シャッター部材に設けられ該カムに摺接される摺接部とから構成され、上記蓋体の閉止操作で該回転シャッター部材を、上記化粧料収納部が隠蔽される方向へ回転させるカム機構とを備えたことを特徴とする。
【０００７】
また、本発明にかかる化粧料容器は、付勢トルクが設定トルクを超えることで付勢方向に所定の回転量の回転作用を呈する携帯電話用一軸ヒンジユニット及び該ヒンジユニット周りに配置された化粧料収納部を有する容器本体と、該容器本体に回動自在に連結される蝶番ブロックを有し、該蝶番ブロックを介して展動されて該容器本体を開閉する蓋体と、上記ヒンジユニットのトルク軸に連結され、回転されて上記化粧料収納部を隠蔽したり露出させる回転シャッター部材と、上記蝶番ブロックに設けられたトリガー部及び上記回転シャッター部材に設けられた押圧部とから構成され、上記蓋体の開放操作で該トリガー部から該押圧部に入力される付勢トルクにより上記ヒンジユニットを、該回転シャッター部材が上記化粧料収納部を露出する方向へ回転させるとともに、該蓋体の閉止操作で該トリガー部から該押圧部に入力される付勢トルクにより該ヒンジユニットを、該回転シャッター部材が上記化粧料収納部を隠蔽する方向へ回転させるトリガー機構とを備えたことを特徴とする。
【発明の効果】
【０００８】
本発明にかかる化粧料容器にあっては、蓋体の開閉操作に応じ、蓋体を閉じた状態では化粧料の乾燥や飛散を防止でき、かつ蓋体を開いたときに化粧操作の邪魔にならない構造を合理的に組み込んで構成することができる。
【図面の簡単な説明】
【０００９】
【図１】本発明にかかる化粧料容器の第１実施形態を上方から見た分解斜視図である。
【図２】図１の化粧料容器の下方から見た分解斜視図である。
【図３】図１の化粧料容器の閉じた状態の側断面図である。
【図４】図１の化粧料容器の閉じた状態の平面断面図である。
【図５】図１の化粧料容器の開いた状態の側断面図である。
【図６】図１の化粧料容器の開いた状態の平面図である。
【図７】図１の化粧料容器に適用されるつる巻バネの斜視図である。
【図８】図１の化粧料容器に適用される回転シャッター部材の変形例を示す側面図である。
【図９】図１の化粧料容器の変形例を示す要部拡大側断面図である。
【図１０】本発明にかかる化粧料容器の第２実施形態の分解斜視図である。
【図１１】図１０の化粧料容器の閉じた状態の側断面図である。
【図１２】図１０の化粧料容器の閉じた状態の平面断面図である。
【図１３】図１０の化粧料容器の後方部分の正面断面図である。
【図１４】図１０の化粧料容器の開いた状態の側断面図である。
【図１５】図１０の化粧料容器の開いた状態の平面図である。
【図１６】図１０の化粧料容器に適用される回転シャッター部材の平面図である。
【図１７】図１０の化粧料容器に適用される回転シャッター部材を下から見た斜視図である。
【図１８】本発明にかかる化粧料容器の第３実施形態の化粧料容器を閉じた状態の平面断面図である。
【図１９】図１８の化粧料容器の開いた状態の平面図である。
【発明を実施するための形態】
【００１０】
以下に、本発明にかかる化粧料容器の好適な実施形態を、添付図面を参照して詳細に説明する。図１〜図９には、第１実施形態にかかる化粧料容器が示されている。
【００１１】
化粧料容器１は主に、容器本体２と蓋体３とから構成される。容器本体２の内部には、そのほぼ中央部に、上下方向に軸を受ける軸受部４が凹設されるとともに、軸受部４の周りに等間隔で、異なる種類の粉末状の化粧料を収納する４つの化粧料収納部５が形成される。化粧料収納部５の数及び配置間隔は、適宜に設定してよい。
【００１２】
これら化粧料収納部５の前方には、粉末状の化粧料を付着させる化粧ブラシ（図示せず）を収納するためのブラシ収納部６が形成される。ブラシ収納部６の前方には、窪み部７が形成され、窪み部７内には、係合突起８が形成される。また、化粧料収納部５後方の容器本体２の後壁２ａには、切り欠き部９が形成される。
【００１３】
蓋体３の後部には、容器本体２の切り欠き部９に挿入される蝶番ブロック１０が形成される。蝶番ブロック１０は、容器本体２左右から装着される蝶番ピン１１を介して、当該容器本体２に回動自在に連結される。蓋体３は、蝶番ブロック１０を介して、容器本体２に展動自在に設けられ、これにより蓋体３は容器本体２を開閉するようになっている。
【００１４】
蓋体３の前方には、容器本体２の窪み部７に挿入されるフック１２が形成され、フック１２には、係合突起８に係脱自在に係合される被係合部１３が形成される。係合突起８と被係合部１３の係合で蓋体３の閉止状態が保たれ、これらが離脱することで蓋体３が開放操作可能となる。
【００１５】
化粧料収納部５上には、円盤状のパッキン１４が設けられる。パッキン１４には、軸受部４を露出させる中央穴１４ａが形成される。また、パッキン１４の下面には、各化粧料収納部５に嵌め入れられる嵌め込み部１４ｂが形成される。嵌め込み部１４ｂを各化粧料収納部５に嵌め込むことで、パッキン１４は、容器本体２に固定される。パッキン１４には、各嵌め込み部１４ｂ位置に、化粧料収納部５の口径よりも小さな孔径で、粉末状の化粧料を化粧ブラシで取り出すための通孔１５が形成される。
【００１６】
パッキン１４上には、円盤状の回転シャッター部材１６が回転可能に設けられる。回転シャッター部材１６のほぼ中央部には、容器本体２の軸受部４に挿入され、当該軸受部４に回転自在に支持される回転軸１７が上下方向に形成される。図示例にあっては、回転軸１７は中空で形成され、軸受部４には中空の回転軸１７に差し込まれる突部１８が形成される。これにより、回転シャッター部材１６は容器本体２の軸受部４に安定的に回転自在に支持されて、パッキン１４上で回転動作される。
【００１７】
回転シャッター部材１６には、パッキン１４の各通孔１５位置に対応させて、化粧料ブラシが挿入される取り出し孔１９が形成される。従って、回転シャッター部材１６が、取り出し孔１９とパッキン１４の通孔１５の一致する回転位置であれば、化粧料収納部５が露出され、他方、一致しない回転位置であれば、化粧料収納部５が隠蔽される。
【００１８】
回転シャッター部材１６の上方には、回転シャッター部材１６のほぼ全体を露出させる大きさの開口部２０ａを有する化粧板２０が当該回転シャッター１６部材の回転を妨げることのないように設けられる。化粧板２０は、容器本体２に超音波接着などにより固定される。
【００１９】
回転シャッター部材１６の回転軸１７及び容器本体２の軸受部４には、係止溝２１，２２が形成され、これら係止溝２１，２２には、図７に示すような円筒状のつる巻バネ２３の両端が係止される。つる巻バネ２３は、回転軸１７と軸受部４との隙間に装着される。
【００２０】
つる巻バネ２３は、軸受部４に係止された一端に反力をとって、他端が係止された回転軸１７を常時弾発付勢し、回転シャッター部材１６が化粧料収納部５を露出する方向、すなわち通孔１５と取り出し孔１９が一致する回転位置への回転習性を与えるようになっている。本実施形態にあっては、バネとしてつる巻バネを例示したが、コイルバネや板バネなどその他のバネであっても良いことはもちろんである。
【００２１】
蝶番ブロック１０と回転シャッター部材１６との間には、化粧料収納部５が隠蔽される方向、すなわち通孔１５と取り出し孔１９とが不一致となる回転位置へ回転シャッター部材１６を回転させるためのカム機構２４が設けられる。蝶番ブロック１０には、容器本体２の切り欠き部９に面して、カム２５が形成される。
【００２２】
カム２５は図示にあっては、容器本体２の左右方向中央から右方向端部へ向かって抉った形態の湾曲面で形成され、最も深く抉られた中央位置に第１突起２６が、最も浅くなる右端部位置に第２突起２７が形成される。
【００２３】
回転シャッター部材１６には、その外周縁から外方へ突出させて、カム２５に摺接される爪状の摺接部２８が形成される。摺接部２８は、切り欠き部９を介し、蝶番ブロック１０のカム２５に面して配置される。摺接部２８は図４に示すように、蓋体３の閉止状態で、最も浅く抉られたカム２５の右端部位置に摺接される。
【００２４】
蓋体３を開放していくと、蝶番ブロック１０も回動し、この際、摺接部２８は、つる巻バネ２３の弾発付勢の作用を受けて、順次深くなるカム２５のプロフィールに従い、最も深く抉られた容器本体２の中央側へ向かって案内され、これにより回転シャッター部材１６が回転されるようになっている。
【００２５】
第１突起２６は、つる巻バネ２３で回転付勢される回転シャッター部材１６の制止位置、すなわち蓋体３開放時の停止位置を設定するために、摺接部２８を制止するようになっている。回転シャッター部材１６は、第１突起２６で制止されることにより、図６に示すように通孔１５と取り出し孔１９とが合致して、これにより化粧料収納部５が露出されるようになっている。
【００２６】
第２突起２７は、蓋体３を閉じていく過程で右方向へ移動する回転シャッター部材１６を制止させるために、摺接部２８をカム２５の右端部で制止させるようになっている。従って、第２突起２７は、蓋体３の閉止状態での回転シャッター部材１６の初期位置を設定するようになっている。
【００２７】
図示例にあっては、摺接部２８は、回転シャッター部材１６の下面から断面Ｌ字状に折り曲げて突出形成されているが、図８に示すように、回転シャッター部材１６の外周縁から真っ直ぐに突出形成してもよい。また、図９に示すように、蝶番ブロック１０には、中央へ向かって移動させるべき摺接部２８に安定した初動を与えるために、蓋体３の開放操作初期に摺接部２８を左方向へ押圧する第３突起２９を設けるようにしてもよい。
【００２８】
次に、第１実施形態にかかる化粧料容器１の作用について説明する。図３及び図４に示すように、係合突起８に被係合部１３を係合して蓋体３を閉じている状態では、カム機構２４の摺接部２８はカム２５の右端部に位置し、回転シャッター部材１６は、通孔１５に対し、取り出し孔１９の位置が不一致となる回転位置に制止されている。
【００２９】
図５及び図６に示すように、係合突起８から被係合部１３を離脱させて蓋体３を開放していくと、つる巻バネ２３の弾発付勢を伴って、摺接部２８が最も浅く抉られた右端部から最も深く抉られた中央へ向かってカム２５に沿って摺動を開始し、これにより回転シャッター部材１６も回転を始める。蓋体３を開ききると、摺接部２８はカム２５上の第１突起２６位置に達してその摺動が停止され、これにより回転シャッター部材１６の回転も制止される。
【００３０】
この第１突起２６位置での回転シャッター部材１６の停止により、パッキン１４の通孔１５と取り出し孔１９とが一致する。従って、これら取り出し孔１９及び通孔１５を介して、化粧料収納部５内に化粧ブラシを挿入することにより、化粧料を取り出すことができる。
【００３１】
蓋体３を閉じる際には、摺接部２８は、最も深く抉られた中央からカム２５に案内されて最も浅い右端部へ向かって摺動し、これに伴って回転シャッター部材１６もつる巻バネ２３の弾発付勢に抗して回転していき、摺接部２８が右端部の第２突起２７に制止され回転シャッター部材１６も回転停止する位置で、被係合部１３が係合突起８に係合して化粧料容器１が閉止される。このときは、通孔１５と取り出し孔１９とが不一致となる。
【００３２】
以上説明した第１実施形態にかかる化粧料容器１にあっては、軸受部４及び軸受部４周りに配置された化粧料収納部５を有する容器本体２と、容器本体２に回動自在に連結される蝶番ブロック１０を有し、蝶番ブロック１０を介して展動されて容器本体２を開閉する蓋体３と、軸受部４に回転軸１７が回転自在に支持され、回転されて化粧料収納部５を隠蔽したり露出させる回転シャッター部材１６と、軸受部４と回転軸１７との間に設けられ、回転シャッター部材１６に、化粧料収納部５が露出する方向の回転習性を付与するつる巻バネ２３と、蝶番ブロック１０に設けられたカム２５及び回転シャッター部材１６に設けられカム２５に摺接される摺接部２８とから構成され、蓋体３の閉止操作で回転シャッター部材１６を、化粧料収納部５が隠蔽される方向へ回転させるカム機構２４とを備えた構成を有するので、蓋体３の開閉操作に応じ、蓋体３を閉じた状態では化粧料の乾燥や飛散を防止でき、かつ蓋体３を開いたときに化粧操作の邪魔にならない構造を合理的に組み込んで構成することができる。
【００３３】
カム機構２４のカム２５を、容器本体２に回動自在に連結される蝶番ブロック１０に形成したので、部品点数を増やす必要がなく、また蓋体３の開閉に伴う動きをそのまま利用して合理的にカム作用を発揮させることができる。
【００３４】
また、パッキン１４を設けたので、さらに化粧料の乾燥防止及び飛散防止効果を高めることができる。また、化粧料収納部５を複数配置したので、異なる種類の化粧料を一括して収納して化粧に便利であるとともに、これらを一挙に露出させたり隠蔽したりすることができる。バネをつる巻バネ２３としたので、構造がきわめて簡単であるとともに、回転軸１７と軸受部４との隙間にコンパクトに収納できて、化粧料容器１が大型化することを防止できる。
【００３５】
図１０〜図１７には、第２実施形態にかかる化粧料容器１が示されている。容器本体２の内部には、そのほぼ中央部に、携帯電話用一軸ヒンジユニット３０が固定して設けられるとともに、ヒンジユニット３０を取り囲んでその周りに、ほぼ円形状の化粧料収納部５が形成される。化粧料収納部５の底面には、化粧料を集めやすくするスロープ５ａが形成されている。化粧料収納部５の数及びそれらの配置間隔は、適宜に設定してよい。
【００３６】
携帯電話用一軸ヒンジユニット３０は、スガツネ工業株式会社製ＭＰＨ−２２シリーズ等として周知であって、ヒンジユニット３０のトルク軸３０ａに加えられる付勢トルク、例えば右回りの付勢トルクが設定トルクを超えることで付勢方向、すなわち右方向へ所定の回転量の回転作用を呈するようになっている。左回りの付勢トルクが加えられれば、同様に設定トルクを超えることで左方向へ所定の回転量の回転作用を呈する。
【００３７】
化粧料収納部５上には、円盤状のパッキン１４が設けられる。パッキン１４には、ヒンジユニット３０を露出させる中央穴１４ａが形成される。また、パッキン１４の下面には、化粧料収納部５に嵌め入れられる嵌め込み部１４ｂが形成される。嵌め込み部１４ｂを化粧料収納部５に嵌め込むことで、パッキン１４は、容器本体２に固定される。パッキン１４には、粉末状の化粧料を化粧ブラシで取り出すための扇状の通孔１５が形成される。
【００３８】
パッキン１４上には、円盤状の回転シャッター部材１６が回転可能に設けられる。回転シャッター部材１６のほぼ中央部には、容器本体２に設けたヒンジユニット３０のトルク軸上端の角軸部３０ａに連結されるとともに、容器本体２に形成されてその内部にヒンジユニットを納める筒壁部３１に回転自在に嵌合される中空筒状の連結部３２が形成される。これにより、回転シャッター部材１６は容器本体２に安定的に回転自在に支持されて、パッキン１４上で回転動作される。
【００３９】
回転シャッター部材１６には、パッキン１４の通孔１５とほぼ同形の扇状の形態で、化粧料ブラシが挿入される取り出し孔１９が形成される。回転シャッター部材１６が、取り出し孔１９とパッキン１４の通孔１５の一致する回転位置であれば、化粧料収納部５が露出され、他方、一致しない回転位置であれば、化粧料収納部５が隠蔽される。
【００４０】
蝶番ブロック１０と回転シャッター部材１６との間には、化粧料収納部５が隠蔽される方向、すなわち通孔１５と取り出し孔１９とが不一致となる回転位置へ回転シャッター部材１６を回転させたり、化粧料収納部５が露出される方向、すなわち通孔１５と取り出し孔１９とが一致する回転位置へ回転シャッター部材１６を回転させるためのトリガー機構３３が設けられる。
【００４１】
蝶番ブロック１０の左右両端部には図１３に示すように、容器本体２の切り欠き部９を介して容器本体２内方へ向けて、第１トリガー部３５及び第２トリガー部３４が突設される。これらトリガー部３４，３５は、螺旋面を有する。図示例にあっては、右端部の第１トリガー部３５は、後述する第１押圧部３６を左方向へ押圧する螺旋面を有し、左端部の第２トリガー部３４は、後述する第２押圧部３７を右方向へ押圧する螺旋面を有する。また、第１トリガー部３５は、蓋体３を開いていく過程で、第１押圧部３６を下方から左方へ向かって押圧する位置に形成され、また、第２トリガー部３４は、蓋体３を閉じていく過程で、第２押圧部３７を上方から右方へ押圧する位置に形成される。
【００４２】
回転シャッター部材１６には図１６及び図１７に示すように、その外周縁から外方へ突出させて、各トリガー部３４，３５にそれぞれ押圧される爪状の第１及び第２押圧部３６，３７が形成される。
【００４３】
蓋体３を開放していくと、蝶番ブロック１０も回動し、この際、第１トリガー部３５が、第１押圧部３６を押圧して、回転シャッター部材１６は左方向へ回転し、これにより左方向への付勢トルクが生じる。この付勢トルクがヒンジユニット３０の設定トルクを超えると、ヒンジユニット３０は、それに設定された所定の回転量で回転作用を呈し、回転シャッター部材１６を左方向へ回転させる。ヒンジユニット３０の所定回転量は、通孔１５と取り出し孔１９とが一致する量に設定されている。これにより化粧料収納部５が露出されるようになっている。
【００４４】
また、蓋体３を閉じていくと、蝶番ブロック１０も回動し、この際、第２トリガー部３４が、第２押圧部３７を押圧して、回転シャッター部材１６は右方向へ回転し、これにより右方向への付勢トルクが生じる。この付勢トルクがヒンジユニット３０の設定トルクを超えると、ヒンジユニット３０は、それに設定された所定の回転量で回転作用を呈し、回転シャッター部材１６を右方向へ回転させる。ヒンジユニット３０の所定回転量は、通孔１５と取り出し孔１９とが重なり合うことなく、不一致となる量に設定されている。これにより化粧料収納部５が回転シャッター部材１６で隠蔽されるようになっている。
【００４５】
第２実施形態では、第１及び第２トリガー部３４，３５と、第１及び第２押圧部３６，３７とが蝶番ブロック１０の左右方向長さ寸法と同程度の間隔で配置されるので、回転シャッター部材１６はその範囲で正逆回転動作される。
【００４６】
次に、第２実施形態にかかる化粧料容器１の作用について説明する。図１１及び図１２に示すように、係合突起８に被係合部１３を係合して蓋体３を閉じている状態では、トリガー機構３３の第１押圧部３６は第１トリガー部３５の直上に位置し、回転シャッター部材１６は、通孔１５に対し、取り出し孔１９の位置が不一致となる回転位置に制止されている。第２押圧部３７と第２トリガー部３４とは、広く離隔した位置を占める。
【００４７】
図１４及び図１５に示すように、係合突起８から被係合部１３を離脱させて蓋体３を開放していくと、第１トリガー部３５が第１押圧部３６を左方向へ付勢するトルクを発生し、これにより回転シャッター部材１６も回転を始める。第１トリガー部３５による付勢トルクがヒンジユニット３０の設定トルクを超えると、当該ヒンジユニット３０により回転シャッター部材１６は自動的に左方向へ所定の回転量で回転されて停止される。
【００４８】
回転シャッター部材１６の停止により、パッキン１４の通孔１５と取り出し孔１９とが一致する。従って、これら取り出し孔１９及び通孔１５を介して化粧ブラシを挿入することにより、化粧料収納部５内の化粧料を取り出すことができる。またこのような蓋体３の開放状態では、第２押圧部３７は第２トリガー部３４の直下に位置される。
【００４９】
蓋体３を閉じる際には、第２トリガー部３４が第２押圧部３７を右方向へ付勢するトルクを発生し、これにより回転シャッター部材１６も回転を始める。第２トリガー部３４による付勢トルクがヒンジユニット３０の設定トルクを超えると、当該ヒンジユニット３０により回転シャッター部材１６は自動的に右方向へ所定の回転量で回転されて停止される。
【００５０】
回転シャッター部材１６の停止により、パッキン１４の通孔１５と取り出し孔１９とが互いに重なり合うことなく不一致となる。
【００５１】
このような第２実施形態にあっても、上記第１実施形態と同様の作用効果を奏することはもちろんである。
【００５２】
トリガー機構３３のトリガー部３４，３５を、容器本体２に回動自在に連結される蝶番ブロック１０に形成したので、部品点数を増やす必要がなく、また蓋体３の開閉に伴う動きをそのまま利用して合理的にトルクを発生させることができる。
【００５３】
第２実施形態では、回転シャッター部材１６はおおよそ、蝶番ブロック１０の左右方向長さ寸法の範囲で正逆回転動作されるので、狭い回転角度で回転シャッター部材１６を回動させたい場合に好ましく適用することができる。
【００５４】
図１８及び図１９には、第３実施形態にかかる化粧料容器１が示されている。第２実施形態の化粧料容器１と異なる点は、回転シャッター部材１６の正逆回転角度範囲を拡大するようにした構造にある。
【００５５】
蝶番ブロック１０の左右両端部には図１９に示すように、第２実施形態と同様、容器本体２の切り欠き部９を介して容器本体２内方へ向けて、第１トリガー部３５及び第２トリガー部３４が突設される。これらトリガー部３４，３５は、螺旋面を有する。
【００５６】
図示例にあっては、右端部の第１トリガー部３５は、後述する第１押圧部３６を右方向へ押圧する螺旋面を有し、左端部の第２トリガー部３４は、後述する第２押圧部３７を左方向へ押圧する螺旋面を有する。
【００５７】
また、第１トリガー部３５は、蓋体３を開いていく過程で、第１押圧部３６を下方から右方へ向かって押圧する位置に形成され、また、第２トリガー部３４は、蓋体３を閉じていく過程で、第２押圧部３７を上方から左方へ押圧する位置に形成される。
【００５８】
回転シャッター部材１６には図１８及び図１９に示すように、その外周縁から外方へ突出させて、各トリガー部３４，３５にそれぞれ押圧される爪状の第１及び第２押圧部３６，３７が形成される。
【００５９】
特に第３実施形態にあっては、第１押圧部３６と第２押圧部３７とは、回転シャッター部材１６のほぼ半周を隔てて配置され、第１トリガー部３５に押圧される第１押圧部３６によって設定トルクを超えると、ヒンジユニット３０は、回転シャッター部材１６を右回りにそのほぼ半周にわたる回転量で回転させ、第１押圧部３６はフック１２側に達する。この際、第２押圧部３７は蝶番ブロック１０側に達する。従って反対に、第２トリガー部３４に押圧される第２押圧部３７によって設定トルクを超えると、ヒンジユニット３０は、回転シャッター部材１６を左回りにそのほぼ半周にわたる回転量で回転させ、第２押圧部３７はフック１２側に達し、第１押圧部３６は蝶番ブロック１０側に達する。
【００６０】
詳細には、蓋体３を開放していくと、蝶番ブロック１０も回動し、この際、第１トリガー部３５が、第１押圧部３６を押圧して、回転シャッター部材１６は右方向にフック１２へ向かって回転し、これにより右方向への付勢トルクが生じる。この付勢トルクがヒンジユニット３０の設定トルクを超えると、ヒンジユニット３０は、それに設定された所定の回転量で回転作用を呈し、回転シャッター部材１６を右方向へ回転させる。ヒンジユニット３０の所定回転量は、通孔１５と取り出し孔１９とが一致する量に設定されている。これにより化粧料収納部５が露出されるようになっている。
【００６１】
また、蓋体３を閉じていくと、蝶番ブロック１０も回動し、この際、第２トリガー部３４が、第２押圧部３７を押圧して、回転シャッター部材１６は左方向にフック１２へ向かって回転し、これにより左方向への付勢トルクが生じる。この付勢トルクがヒンジユニット３０の設定トルクを超えると、ヒンジユニット３０は、それに設定された所定の回転量で回転作用を呈し、回転シャッター部材１６を左方向へ回転させる。ヒンジユニット３０の所定回転量は、通孔１５と取り出し孔１９とが重なり合うことなく、不一致となる量に設定されている。これにより化粧料収納部５が回転シャッター部材１６で隠蔽されるようになっている。
【００６２】
次に、第３実施形態にかかる化粧料容器１の作用は、第２実施形態とほぼ同様である。このような第３実施形態にあっても、上記第１及び第２実施形態と同様の作用効果を奏することはもちろんである。
【００６３】
第３実施形態では、回転シャッター部材１６を、蝶番ブロック１０の左右方向長さ寸法を超える広い範囲で正逆回転動作させることができ、広い回転角度で回転シャッター部材１６を回動させたい場合に好ましく適用することができる。
【００６４】
上記実施形態にあっては、回転シャッター部材１６として外形輪郭が円形の円盤状のものを例示して説明したが、回転を妨げない周辺構造を採用すれば、多角形状の回転シャッター部材を用いても良いことはもちろんである。また、軸受部４やヒンジユニット３０の設置位置も、容器本体２の中央ではなく、容器本体２の中央から位置をずらして設定しても良いことはもちろんである。
【符号の説明】
【００６５】
１  化粧料容器
２  容器本体
３  蓋体
４  軸受部
５  化粧料収納部
１０  蝶番ブロック
１６  回転シャッター部材
１７  回転軸
２３  つる巻バネ
２４  カム機構
２５  カム
２８  摺接部
３０  携帯電話用一軸ヒンジユニット
３３  トリガー機構
３４  第２トリガー部
３５  第１トリガー部
３６  第１押圧部
３７  第２押圧部
【図１】
2010207448.tif 000003
【図２】
2010207448.tif 000004
【図３】
2010207448.tif 000005
【図４】
2010207448.tif 000006
【図５】
2010207448.tif 000007
【図６】
2010207448.tif 000008
【図７】
2010207448.tif 000009
【図８】
2010207448.tif 000010
【図９】
2010207448.tif 000011
【図１０】
2010207448.tif 000012
【図１１】
2010207448.tif 000013
【図１２】
2010207448.tif 000014
【図１３】
2010207448.tif 000015
【図１４】
2010207448.tif 000016
【図１５】
2010207448.tif 000017
【図１６】
2010207448.tif 000018
【図１７】
2010207448.tif 000019
【図１８】
2010207448.tif 000020
【図１９】
2010207448.tif 000021